(57)【特許請求の範囲】
【請求項１】
アクセスポイントノード（２４０）であって、
無線リンク（２１１）を介してセルラーネットワーク（１１０）の無線アクセスノード（１１２）と通信するように構成された第１のインターフェース（２４０−３）と、
更なる無線リンク（２１２）を介して端末（１３０）と通信するように構成された第２のインターフェース（２４０−４）と、
前記第２のインターフェース（２４０−４）を介して、前記端末（１３０）から、アタッチメッセージ（３０４、５０４）を受信するように構成された少なくとも１つのプロセッサ（２４０−１）と
を含み、前記少なくとも１つのプロセッサ（２４０−１）は、前記端末（１３０）から前記アタッチメッセージ（３０４、５０４）を受信したことに応答して、前記第１のインターフェース（２４０−３）を介して前記セルラーネットワーク（１１０）のコア（１１１）のユーザプレーンゲートウェイノード（１１７、１１８）とのエンドツーエンド接続（２５０）を確立するように更に構成される、
アクセスポイントノード（２４０）。
【請求項２】
前記エンドツーエンド接続（２５０）は、前記アクセスポイントノード（２４０）のＩＰアドレスによって識別される、
請求項１に記載のアクセスポイントノード（２４０）。
【請求項３】
前記少なくとも１つのプロセッサ（２４０−１）は、前記セルラーネットワーク（１１０）に接続するときに前記ユーザプレーンゲートウェイノード（１１７、１８１）とのデフォルトのエンドツーエンド接続（３０３）を確立するように構成され、
前記少なくとも１つのプロセッサ（２４０−１）は、前記第１のインターフェース（２４０−３）を介して、前記デフォルトのエンドツーエンド接続（３０３）の前記確立の一部として前記アクセスポイントノード（２４０）の前記ＩＰアドレスを受信するように構成され、
前記デフォルトのエンドツーエンド接続（３０３）は、前記アクセスポイントノード（２４０）の前記ＩＰアドレスによって識別され、
選択的に、前記エンドツーエンド接続（２５０）は、前記デフォルトのエンドツーエンド接続（３０３）にリンクされる、
請求項２に記載のアクセスポイントノード（２４０）。
【請求項４】
前記少なくとも１つのプロセッサ（２４０−１）は、ローカルＩＰアドレスを前記端末（１３０）に割り当てるように構成され、
前記少なくとも１つのプロセッサ（２４０−１）は、前記端末（１３０）の前記ローカルＩＰアドレスに基づいて、前記エンドツーエンド接続（２５０）上のパケット化されたユーザプレーントラフィック（２５１）をルーティングするように構成される、
請求項１〜３のいずれか１項に記載のアクセスポイントノード（２４０）。
【請求項５】
前記少なくとも１つのプロセッサ（２４０−１）は、前記セルラーネットワーク（１１０）と前記端末（１３０）との間の所与のサービス（４５０）のパケット化されたユーザプレーントラフィック（２５１）の送信の必要性を示す制御メッセージを受信するように構成され、
前記少なくとも１つのプロセッサ（２４０−１）は、前記ユーザプレーンゲートウェイノード（１１７、１１８）との更なるエンドツーエンド接続（２５１）を確立するように構成され、
前記更なるエンドツーエンド接続（２５１）は、前記所与のサービス（４５０）に関連付けられ、前記アクセスポイントノード（２４０）のＩＰアドレスによって更に識別される、
選択的に、前記更なるエンドツーエンド接続（２５１）は、前記エンドツーエンド接続（２５０）にリンクされている、又はリンクされていない、
請求項１〜４のいずれか１項に記載のアクセスポイントノード（２４０）。
【請求項６】
前記第２のインターフェース（２４０−４）は、前記更なる無線リンク（２１２）を介して別の端末と通信するように更に構成され、
前記少なくとも１つのプロセッサ（２４０−１）は、前記第２のインターフェース（２４０−４）を介して、前記別の端末から、アタッチメッセージを受信するように構成され、
前記少なくとも１つのプロセッサ（２４０−１）は、前記別の端末から前記アタッチメッセージを受信したことに応答して、前記ユーザプレーンゲートウェイノード（１１７、１８２）との別のエンドツーエンド接続を確立するように更に構成され、
前記別のエンドツーエンド接続は、前記アクセスポイントノード（２４０）のＩＰアドレスによって識別される、
請求項１〜５のいずれか１項に記載のアクセスポイントノード（２４０）。
【請求項７】
前記少なくとも１つのプロセッサ（２４０−１）は、前記第２のインターフェース（２４０−４）を介して前記端末（１３０）から加入者識別子を受信するように構成され、前記加入者識別子は、前記端末（１３０）に関連付けられた前記セルラーネットワーク（１１０）の加入者を識別し、
前記少なくとも１つのプロセッサ（２４０−１）は、前記第１のインターフェース（２４０−３）を介して、前記セルラーネットワーク（１１０）の前記コア（１１１）の制御ノード（１１６、１２２）に、前記加入者識別子を含む許可要求メッセージ（５０５）を送信するように構成され、
前記少なくとも１つのプロセッサ（２４０−１）は、前記第１のインターフェース（２４０−３）を介して、前記制御ノード（１１６、１２２）から、許可応答メッセージ（５０６）を受信するように構成され、許可応答メッセージ（５０６）は、前記無線リンク（２１１）上で通信するための前記加入者の許可を示す、
請求項１〜６のいずれか１項に記載のアクセスポイントノード（２４０）。
【請求項８】
前記少なくとも１つのプロセッサ（２４０−１）は、前記第１のインターフェースを介して前記セルラーネットワーク（１１０）に、前記エンドツーエンド接続（２５０）の識別子を含み、加入者識別子を更に含むポリシー及び課金制御メッセージ（５１０）を送信するように構成され、前記加入者識別子は、前記セルラーネットワーク（１１０）内の前記端末（１３０）に関連付けられた加入者を識別する、
請求項１〜７のいずれか１項に記載のアクセスポイントノード（２４０）。
【請求項９】
前記少なくとも１つのプロセッサ（２４０−１）は、前記第１のインターフェース（２４０−３）を介して、前記エンドツーエンド接続（２５０）を確立するための前記アクセスポイントノード（２４０）の許可を、前記セルラーネットワーク（１１０）とネゴシエートするように構成され、選択的に、
前記少なくとも１つのプロセッサ（２４０−１）は、前記第１のインターフェース（２４０−３）を介して、前記ネゴシエートの一部として能力要求メッセージ（７０１）を送信するように構成され、前記能力要求メッセージ（７０１）は、前記アクセスポイントノード（２４０）のセキュリティレベルを示す、
請求項１〜８のいずれか一項に記載のアクセスポイントノード（２４０）。
【請求項１０】
前記少なくとも１つのプロセッサ（２４０−１）は、前記第１のインターフェース（２４０−３）を介して、前記セルラーネットワーク（１１０）から、前記エンドツーエンド接続（２５０）の前記確立の制御パラメータを含む構成メッセージ（７０３）を受信するように構成される、
請求項１〜９のいずれか１項に記載のアクセスポイントノード（２４０）。
【請求項１１】
前記少なくとも１つのプロセッサ（２４０−１）は、前記セルラーネットワーク（１１０）と前記端末（１３０）との間の前記エンドツーエンド接続（２５０）上のパケット化されたユーザプレーントラフィック（２５１）のタイプに応じて、前記エンドツーエンド接続（２５０）のサービス品質識別子を設定するように構成される、
請求項１〜１０のいずれか１項に記載のアクセスポイントノード（２４０）。
【請求項１２】
前記少なくとも１つのプロセッサ（２４０−１）は、前記エンドツーエンド接続（２５０）を介してパケット化されたユーザプレーントラフィック（２５１）をルーティングするように構成され、
前記パケット化されたユーザプレーントラフィック（２５１）は、前記端末（１３０）とＩＰマルチメディアサブシステムへの接続を確立する前記セルラーネットワーク（１１０）の更なるアクセスポイントノード（２４０）との間にある、
請求項１〜１１のいずれか１項に記載のアクセスポイントノード（２４０）。
【請求項１３】
アクセスポイントノード（２４０）によって実行される方法であって、
アタッチメッセージ（３０４、５０４）を受信することと、
無線リンク（２１１）を介して、セルラーネットワーク（１１０）のコア（１１１）のユーザプレーンゲートウェイノード（１１７、１１８）とのエンドツーエンド接続（２５０）を、前記アタッチメッセージ（３０４、５０４）の受信に応じて、端末（１３０）からのさらなる無線リンク（２１２）を介して、確立することと
を含む方法。
【発明の詳細な説明】
【技術分野】
【０００１】
様々な実施形態は、アクセスポイントノード、セルラーネットワークのコアのユーザプレーンゲートウェイノード、制御ノード、及び方法に関する。特に、様々な実施形態は、ユーザプレーンゲートウェイノードとのエンドツーエンド接続を確立する技法に関する。
【背景技術】
【０００２】
モバイル通信の分野では、モバイルホットスポットを介してユーザにブロードバンド接続を提供することが知られている。モバイルホットスポットは、無線リンクを介してセルラーネットワークの無線アクセスノードと通信するように構成された第１のインターフェースを含み、モバイルホットスポットは、更なる無線リンクを介してユーザの端末と通信するように構成された第２のインターフェースを更に含む。ここで、範囲拡張のための中継シナリオと比較すると、第１のインターフェースは、第２のインターフェースとは異なる無線アクセス技術に従って動作する。これは、典型的には、モバイルホットスポットが、トラフィックの単なる転送及び／又はリソース割振り以上の機能を提供することを必要とする。モバイルホットスポットの例には、車両に組み込まれるセルラーネットワークモデム、テザリングホットスポット、及び他のモバイルルータがある。
【０００３】
しかし、このようなモバイルホットスポットの機能は、しばしばブロードバンド接続に限られる。
【発明の概要】
【発明が解決しようとする課題】
【０００４】
したがって、ブロードバンド接続以上の高度な機能を可能にするモバイルホットスポットを提供する必要がある。
【０００５】
この必要性は、独立クレームの特徴によって満たされる。従属クレームは、実施形態を定義する。
【課題を解決するための手段】
【０００６】
一態様によれば、アクセスポイントノードが提供される。アクセスポイントノードは、無線リンクを介してセルラーネットワークの無線アクセスノードと通信するように構成された第１のインターフェースを含む。アクセスポイントノードは、更なる無線リンクを介して端末と通信するように構成された第２のインターフェースを更に含む。アクセスポイントノードは、第２のインターフェースを介して、端末から、アタッチメッセージを受信するように構成された少なくとも１つのプロセッサを更に含む。少なくとも１つのプロセッサは、端末からアタッチメッセージを受信したことに応答して、第１のインターフェースを介してセルラーネットワークのコアのユーザプレーンゲートウェイノードとのエンドツーエンド接続を確立するように更に構成される。
【０００７】
一態様によれば、方法が提供される。この方法は、更なる無線リンクを介して、端末から、アタッチメッセージを受信することを含む。この方法は、アタッチメッセージを前記受信したことに応答して、無線リンクを介して、セルラーネットワークのコアのユーザプレーンゲートウェイノードとのエンドツーエンド接続を確立することを更に含む。
【０００８】
一態様によれば、セルラーネットワークのコアのユーザプレーンゲートウェイノードが提供される。ユーザプレーンゲートウェイノードは、インターフェースと、インターフェースを介して、無線リンクを介してセルラーネットワークに接続されたアクセスポイントノードとのエンドツーエンド接続を確立するように構成された少なくとも１つのプロセッサとを含む。エンドツーエンド接続は、アクセスポイントノードのＩＰアドレスによって識別される。少なくとも１つのプロセッサは、加入者識別子及びエンドツーエンド接続の識別子を含むポリシー及び課金制御メッセージを受信するように更に構成される。加入者識別子は、更なる無線リンクを介してアクセスポイントノードに接続された端末に関連付けられたセルラーネットワークの加入者を識別する。
【０００９】
一態様によれば、方法が提供される。この方法は、無線リンクを介してセルラーネットワークに接続されたアクセスポイントノードとのエンドツーエンド接続を確立することを含む。エンドツーエンド接続は、アクセスポイントノードのＩＰアドレスによって識別される。この方法は、加入者識別子及びエンドツーエンド接続の識別子を含むポリシー及び課金制御メッセージを受信することを更に含む。加入者識別子は、更なる無線リンクを介してアクセスポイントノードに接続された端末に関連付けられたセルラーネットワークの加入者を識別する。
【００１０】
一態様によれば、セルラーネットワークのコアのユーザプレーンゲートウェイノードが提供される。ユーザプレーンゲートウェイノードは、インターフェースと少なくとも１つのプロセッサとを含む。少なくとも１つのプロセッサは、インターフェースを介して、無線リンクを介してセルラーネットワークに接続されたアクセスポイントノードとのエンドツーエンド接続を確立するように構成される。少なくとも１つのプロセッサは、インターフェースを介して、エンドツーエンド接続の前記確立の一部として、更なる無線リンクを介してアクセスポイントノードに接続された端末のＩＰアドレスを送信するように更に構成される。エンドツーエンド接続は、端末のＩＰアドレスによって識別される。
【００１１】
一態様によれば、方法が提供される。この方法は、無線リンクを介してセルラーネットワークに接続されたアクセスポイントノードとのエンドツーエンド接続を確立することを含む。この方法は、エンドツーエンド接続の前記確立の一部として、更なる無線リンクを介してアクセスポイントノードに接続された端末のＩＰアドレスを送信することを更に含む。エンドツーエンド接続は、端末のＩＰアドレスによって識別される。
【００１２】
一態様によれば、セルラーネットワークのコアの制御ノードが提供される。制御ノードは、インターフェースと少なくとも１つのプロセッサとを含む。少なくとも１つのプロセッサは、インターフェースを介して、無線リンクを介してセルラーネットワークに接続されたアクセスポイントノードから、許可要求メッセージを受信するように構成される。許可要求メッセージは、更なる無線リンクを介してアクセスポイントノードに接続された端末に関連付けられたセルラーネットワークの加入者を識別する加入者識別子を含む。少なくとも１つのプロセッサは、無線リンクを介して通信するための加入者の許可をチェックするように構成される。少なくとも１つのプロセッサは、インターフェースを介してアクセスポイントノードへ、前記チェックに応じて許可応答メッセージを選択的に送信するように構成される。
【００１３】
一態様によれば、方法が提供される。この方法は、無線リンクを介してセルラーネットワークに接続されたアクセスポイントノードから、更なる無線リンクを介してアクセスポイントノードに接続された端末に関連付けられたセルラーネットワークの加入者を識別する加入者識別子を含む許可要求メッセージを受信することを含む。この方法は、無線リンクを介して通信するための加入者の許可をチェックすることを更に含む。この方法は、インターフェースを介してアクセスポイントノードへ、前記チェックに応じて許可応答メッセージを選択的に送信することを更に含む。
【００１４】
一態様によれば、アクセスポイントノードを含む車両が提供される。アクセスポイントノードは、無線リンクを介してセルラーネットワークの無線アクセスノードと通信するように構成された第１のインターフェースを含む。アクセスポイントノードは、更なる無線リンクを介して端末と通信するように構成された第２のインターフェースを更に含む。アクセスポイントノードは、第２のインターフェースを介して、端末から、アタッチメッセージを受信するように構成された少なくとも１つのプロセッサを更に含む。少なくとも１つのプロセッサは、端末からアタッチメッセージを受信したことに応答して、第１のインターフェースを介してセルラーネットワークのコアのユーザプレーンゲートウェイノードとのエンドツーエンド接続を確立するように更に構成される。
【００１５】
一態様によれば、コンピュータプログラム製品が提供される。コンピュータプログラム製品は、プログラムコードを含む。少なくとも１つのプロセッサによるプログラムコードの実行は、少なくとも１つのプロセッサに、更なる無線リンクを介して、端末から、アタッチメッセージを受信することを含む方法を実行させる。この方法は、アタッチメッセージを受信したことに応答して、無線リンクを介して、セルラーネットワークのコアのユーザプレーンゲートウェイノードとのエンドツーエンド接続を確立することを更に含む。
【００１６】
一態様によれば、コンピュータプログラム製品が提供される。コンピュータプログラム製品は、プログラムコードを含む。少なくとも１つのプロセッサによるプログラムコードの実行は、少なくとも１つのプロセッサに、無線リンクを介してセルラーネットワークに接続されたアクセスポイントノードとのエンドツーエンド接続を確立することを含む方法を実行させる。エンドツーエンド接続は、アクセスポイントノードのＩＰアドレスによって識別される。この方法は、加入者識別子及びエンドツーエンド接続の識別子を含むポリシー及び課金制御メッセージを受信することを更に含む。加入者識別子は、更なる無線リンクを介してアクセスポイントノードに接続された端末に関連付けられたセルラーネットワークの加入者を識別する。
【００１７】
一態様によれば、コンピュータプログラム製品が提供される。コンピュータプログラム製品は、プログラムコードを含む。少なくとも１つのプロセッサによるプログラムコードの実行は、少なくとも１つのプロセッサに、無線リンクを介してセルラーネットワークに接続されたアクセスポイントノードから、更なる無線リンクを介してアクセスポイントノードに接続された端末に関連付けられたセルラーネットワークの加入者を識別する加入者識別子を含む許可要求メッセージを受信することを含む方法を実行させる。この方法は、無線リンクを介して通信するための加入者の許可をチェックすることを更に含む。この方法は、インターフェースを介してアクセスポイントノードへ、前記チェックに応じて許可応答メッセージを選択的に送信することを更に含む。
【００１８】
上述した特徴及び以下に説明する特徴は、示されたそれぞれの組合せだけでなく、本発明の範囲から逸脱することなく、他の組合せで、又は単独で使用することができることを理解されたい。上述した態様及び実施形態の特徴は、他の実施形態において互いに組み合わせることができる。
【図面の簡単な説明】
【００１９】
本発明の前述及び追加の特徴及び効果は、添付の図面と併せて読むと、以下の詳細な説明から明らかになるであろう。図面において、同様の参照番号は同様の要素を指す。
【００２０】
【図１】リファレンス実装に係る、無線リンクを介した及びアクセスポイントノードの更なる無線リンクを介した端末のアクセスを可能にするセルラーネットワークの従来技術のアーキテクチャを概略的に示す図である。
【図２】様々な実施形態に係る、無線リンクを介した及びモバイルアクセスポイントノードの更なる無線リンクを介した端末のアクセスを可能にするセルラーネットワークのアーキテクチャを概略的に示す図である。
【図３】エンドツーエンド接続が端末のＩＰアドレスによって識別される、端末とセルラーネットワークのコアのユーザプレーンゲートウェイノードとの間のエンドツーエンド接続を確立するアクセスポイントノードのシグナリング図である。
【図４】エンドツーエンド接続に加えて、所与のサービスに関連付けられ、端末のＩＰアドレスによって識別される更なるエンドツーエンド接続が確立され、更なるエンドツーエンド接続がエンドツーエンド接続にリンクされる、図３との関連のシグナリング図である。
【図５】エンドツーエンド接続がアクセスポイントノードのＩＰアドレスによって識別される、アクセスポイントノードとセルラーネットワークのコアのユーザプレーンゲートウェイノードとの間のエンドツーエンド接続を確立するアクセスポイントノードのシグナリング図である。
【図６】エンドツーエンド接続に加えて、所与のサービスに関連付けられ、アクセスポイントノードのＩＰアドレスによって識別される更なるエンドツーエンド接続が確立され、更なるエンドツーエンド接続がエンドツーエンド接続にリンクされる、図５との関連のシグナリング図である。
【図７】エンドツーエンド接続を確立するためのアクセスポイントノードの許可のネゴシエーションを示すシグナリング図である。
【図８】エンドツーエンド接続上のトラフィックについての、セルラーネットワークのコアのユーザプレーンゲートウェイノードのポリシー実施及び課金機能を示す図である。
【図９】無線リンクを介してセルラーネットワークの無線アクセスノードと通信するように構成された第１のインターフェースを含み、更なる無線リンクを介して端末と通信するように構成された第２のインターフェースを更に含むアクセスポイントノードを概略的に示す図である。
【図１０】無線リンクを介して通信するための端末に関連付けられたセルラーネットワークの加入者の許可をチェックするように構成されたセルラーネットワークのコアの制御ノードを概略的に示す図である。
【図１１】エンドツーエンド接続を確立するように構成されたセルラーネットワークのコアのユーザプレーンゲートウェイノードを概略的に示す図である。
【図１２】端末からアタッチメッセージを受信したことに応答して、ユーザプレーンゲートウェイノードとのエンドツーエンド接続を確立することを含む、様々な実施形態に係る方法のフローチャートである。
【図１３】無線リンクを介してセルラーネットワークと通信するための加入者の許可をチェックすることを含む、様々な実施形態に係る方法のフローチャートである。
【図１４】アクセスポイントノードとのエンドツーエンド接続を確立することを含む、様々な実施形態に係る方法のフローチャートである。
【発明を実施するための形態】
【００２１】
以下、添付の図面を参照しながら、本発明の実施形態を詳細に説明する。実施形態の以下の説明は、限定的な意味で解釈されないものとすることを理解されたい。本発明の範囲は、単に例示的なものに過ぎない、以下で説明する実施形態又は図面によって限定されることを意図したものではない。
【００２２】
図面は概略表現であるとみなされるものとし、図面に示される要素は、必ずしも縮尺通りに示されていない。むしろ、様々な要素は、それらの機能及び一般的目的が当業者に明らかになるように表される。図面に示されている、又は本明細書に記載されている機能ブロック、デバイス、構成要素、又は他の物理的又は機能的ユニット間の任意の接続又は結合は、間接的な接続又は結合によっても実装され得る。構成要素間の結合は、ワイヤレス接続を介して確立されてもよい。機能ブロックは、ハードウェア、ファームウェア、ソフトウェア、又はそれらの組合せで実装され得る。
【００２３】
以下で、エンドツーエンド接続を確立する技法について説明する。エンドツーエンド通信は、一端では、セルラーネットワークのコアのユーザプレーンゲートウェイノードで終端する。ユーザプレーンゲートウェイノードの他に、アクセスポイントノード（ＡＰ）がエンドツーエンド通信の確立に参加する。ＡＰは、無線リンクを介してセルラーネットワークと接続される。他端では、エンドツーエンド通信は、アクセスポイントノードで、又は更なる無線リンクを介してアクセスポイントノードに接続された端末（ＵＥ）で終端し得る。特に、ユーザプレーンゲートウェイノードとのエンドツーエンド接続は、ＡＰがＵＥからアタッチメッセージを受信したことに応答して確立される。ＵＥは、ＡＰを介した接続に加えて、セルラーネットワークに直接接続されていてもされていなくてもよい。
【００２４】
ＵＥは、更なる無線リンクを介してＡＰと接続される。したがって、ＡＰは、モバイルＡＰと呼ぶことができる。ＵＥへの及び／又はＵＥからのトラフィックは、エンドツーエンド接続に沿って転送されてもよい。それによって、トラフィックの送信は、モバイルＡＰの能力から利益を得る可能性があり、例えば、モバイルＡＰは、例えば、ＵＥと比較すると高度なアンテナシステムを有することができ、それによって、比較的信頼できる方法でトラフィックの送信を提供することができる。
【００２５】
エンドツーエンド接続のエンドノード間のトラフィックをルーティングし、随意に暗号化するために、エンドツーエンド接続が使用され得る。エンドツーエンド接続をベアラと呼ぶことがある。エンドノード間の暗号化されたトラフィックの場合、エンドツーエンド接続は、トンネル又はセキュアトンネルと呼ぶことがある。異なるエンドツーエンド接続は、例えば、待ち時間、最大帯域幅、最大ビット誤り率、又はパケット誤り率などを含む、異なるサービス品質（ＱｏＳ）要求に関連付けられる可能性がある。ＱｏＳ要求は、サービス品質インジケータによって指定され得る。
【００２６】
一般的には、エンドツーエンド接続を確立するために、様々な概念及びシナリオが考えられる。例えば、上述したように、エンドツーエンド接続がモバイルＡＰ又はＵＥで終端する可能性がある。エンドツーエンド接続は、モバイルＡＰ又はＵＥのＩＰアドレスによって識別される可能性があり、したがって、エンドツーエンド接続がモバイルＡＰ又はＵＥに関連付けられる可能性がある。例えば、エンドツーエンド接続の確立中に、それぞれのエンドツーエンド接続にそれぞれのＩＰアドレスをネゴシエート、リンク、又はさもなければ割り当てることが可能である。
【００２７】
エンドツーエンド接続上のトラフィックについてポリシー及び課金機能を提供することが可能である。例えば、ネットワークの加入者は、ＵＥに関連付けられている可能性があり、そのとき、モバイルＡＰを介してルーティングされている場合でも、エンドツーエンド接続上のトラフィックについて加入者固有のポリシー及び課金を実装することが可能であり得る。
【００２８】
モバイルＡＰとセルラーネットワークとの間の無線リンクは、異なる無線アクセス技術（ＲＡＴ）、次いで、ＵＥとモバイルＡＰとの間の更なる無線リンクを使用する可能性がある。これは中継シナリオとは異なる。例えば、モバイルＡＰとセルラーネットワークとの間の無線リンクは、３ＧＰＰ（Third  Generation  Partnership  Project）によって指定されたＲＡＴを使用する可能性がある。同時に、ＵＥとモバイルＡＰとの間の更なる無線リンクは非３ＧＰＰ  ＲＡＴを使用する可能性がある。
【００２９】
以下で、単に説明の目的で、３ＧＰＰ  ＬＴＥ（Long  Term  Evolution）ＲＡＴに従って動作するモバイルＡＰとセルラーネットワークとの間の無線リンクとの関連で、様々なシナリオを説明する。同様の技法は、ＧＳＭ（Global  Systems  for  Mobile  Communications）、ＷＣＤＭＡ（Wideband  Code  Division  Multiplex）、ＧＰＲＳ（General  Packet  Radio  Service）、ＥＤＧＥ（Enhanced  Data  Rates  for  GSM  Evolution）、ＥＧＰＲＳ（Enhanced  GPRS）、ＵＭＴＳ（Universal  Mobile  Telecommunications  System）、及びＨＳＰＡ（High  Speed  Packet  Access）など、様々な種類の３ＧＰＰ指定ＲＡＴに容易に適用することができる。
【００３０】
更に、以下では、ＩＥＥＥ（Institute  of  Electrical  and  Electronics  Engineers）８０２．１１規格ファミリーに係る無線ローカルエリアネットワーク（ＷＬＡＮ）ＲＡＴに従って動作するＵＥとモバイルＡＰとの間の更なる無線リンクとの関連で、様々なシナリオを説明する。
【００３１】
図１を参照すると、ＵＥ１３０がＡＰ１４１を介して、いわゆる発展型パケットシステム（ＥＰＳ）アーキテクチャを実装する３ＧＰＰ  ＬＴＥプロトコルに従ってセルラーネットワーク１１０と接続されている、リファレンス実装に係るシナリオが示されている。ＵＥ１３０とＡＰ１４１との間の対応する無線リンク１９２に、ＩＥＥＥ  ＷＬＡＮ  ＲＡＴが採用される。無線リンク１９２の上に、３ＧＰＰ  ＳＷｗ基準点が実装される。ＵＥ１３０は、３ＧＰＰ  ＬＴＥ  ＲＡＴに従って無線リンク２１３を介してセルラーネットワーク１１０と直接通信することをもできる。これに関して、ＵＥ１３０は、セルラーネットワーク１１０の加入者に関連付けられている。ｅＮＢ（evolved  node  B）１１２によって提供され得るＥ−ＵＴＲＡＮ（evolved  UMTS  Terrestrial  Radio  Access）技術によって、図１のシナリオで実装される、ＵＥ１３０と無線アクセスノードとの間の無線リンク２１３は、ＬＴｅ−Ｕｕ基準点によって実装される。ユーザプレーントラフィックを、無線リンク１９２、２１３上のアップリンク（ＵＬ）及び／又はダウンリンク（ＤＬ）方向に転送することができる。
【００３２】
図１のシナリオでは、ＡＰ１４１は、セルラーネットワーク１１０のコア１１１（発展型パケットコア；ＥＰＣ）との固定ワイヤバックボーン接続を有し、したがって、ＡＰ１４１は静的ＡＰである。
【００３３】
ｅＮＢ１１２は、基準点Ｓ１−Ｕを介してサービングゲートウェイ（ＳＧＷ）１１７によって実装されるゲートウェイノードと接続される。ＳＧＷ１１７は、ＵＥ１３０のハンドオーバの間、モビリティアンカーとして働くユーザプレーントラフィックをルーティング及び転送し得る。
【００３４】
ＳＧＷ１１７は、Ｓ５プロトコルに従って動作する基準点を介して、パケットデータネットワークゲートウェイ（ＰＧＷ）１１８によって実装される更なるゲートウェイノードに接続される。ＰＧＷ１１８は、パケットデータネットワーク（ＰＮ；図１には図示せず）に向かうトラフィックについてのセルラーネットワーク１１０の入口点及び出口点として機能する。このために、ＰＧＷは、ＳＧｉプロトコルに従って動作する基準点を介してＰＮのアクセスポイントノード１２１と接続される。アクセスポイントノード１２１は、アクセスポイント名（ＡＰＮ）によって一意に識別される。ＡＰＮは、ＰＮへのアクセスを求めるためにＵＥ１３０によって使用される。
【００３５】
ＰＧＷ１１８は、ＵＥ１３０のパケット化されたユーザプレーントラフィックについてのエンドツーエンド接続のエンドポイントとすることができる。エンドツーエンド接続は、更なる無線リンク２１３を使用する。エンドツーエンド接続は、他端では、ＵＥ１３０において終端し得る。初期エンドツーエンド接続は、典型的には、ＰＮとの間のＵＬ及びＤＬトラフィックを可能にするデフォルトのＥＰＳベアラと呼ばれる。デフォルトのＥＰＳベアラは、通常、ＵＥ１３０が更なる無線リンク２１３を介してセルラーネットワーク１１０に接続するときに作成される。１つ以上の専用ＥＰＳベアラが、デフォルトのＥＰＳベアラに関連付けられてもよく、又はリンクされてもよく、１つ以上の専用ＥＰＳベアラは、ＵＥ１３０とＰＧＷ１１８との間でユーザプレーントラフィックが生じる１つ以上のサービスについてサービス固有であり得る。専用ＥＰＳベアラをデフォルトのＥＰＳベアラにリンクすることは、専用ＥＰＳベアラを確立するときに、デフォルトのＥＰＳベアラのインジケータを含めることによって実装される可能性があり、例えば、３ＧＰＰ  ＬＴＥ  ＥＰＳフレームワークでは、ＬＢＩ（Linked  EPS  Bearer  Identity）であり、３ＧＰＰ  ＴＳ  ２３．４０１，Ｖ１３．３．０（２０１５），ｓｅｃｔｉｏｎ  ５．４．１を参照されたい。デフォルトのＥＰＳベアラと組み合わせた１つ以上の専用ＥＰＳベアラは、ＰＮ接続（ＰＤＮ接続）と呼ばれ得る。各ベアラは、所与のＱｏＳに関連付けられ得る。これは、例えば３ＧＰＰ  ＬＴＥ  ＥＰＳフレームワークでは、品質クラス識別子（ＱＣＩ）によるなど、サービス品質インジケータによって達成され得る。
【００３６】
また、ＰＧＷ１１８は、ＵＥ１３０のパケット化されたユーザプレーントラフィックについての更なるエンドツーエンド接続のエンドポイントとしても機能する。このエンドツーエンド接続は、ＡＰ１４１で終端し、Ｓ２ａトンネルと呼ばれることがある。これは、無線リンク１９２を介したＵＥ１３０とＰＧＷ１１８との間でのデータの送信を実行することを可能にする。
【００３７】
ｅＮＢ１１２、ＳＧＷ１１７、ＰＧＷ１１８、及びアクセスポイントノード１２１は、セルラーネットワーク１１０のユーザプレーン又はデータプレーンを形成する。ユーザプレーンノードの制御機能は、セルラーネットワーク１１０の制御プレーンによって実行される。
【００３８】
セルラーネットワーク１１０に対するＵＥ１３０のアクセス機能は、モビリティ管理エンティティ（ＭＭＥ）１１６によって実装される制御ノードによって制御され得る。ＭＭＥ１１６は、ＵＥ１３０とｅＮＢ１１２との間の無線リンクを介してセルラーネットワーク１１０にアクセスするための、ＵＥ１３０に関連付けられたネットワーク１１０の加入者の許可をチェックする。ＭＭＥ１１６は、Ｓ１−ＭＥＭＥプロトコルに従って動作する基準点を介してｅＮＢ１１２と接続される。更に、ＭＭＥ１１６は、Ｓ１１プロトコルに従って動作する基準点を介してＳＧＷ１１７と接続される。
【００３９】
セルラーネットワーク１１０へのＵＥ１３０のアクセス機能は、ＡＡＡ（Authentication  Authorization  and  Accounting）エンティティ１２２によって実装される制御ノードによって更に制御され得る。ＡＡＡ１２２は、ＵＥ１３０とＡＰ１４１との間の無線リンク１９２を介してセルラーネットワーク１１０にアクセスするための、ＵＥ１３０に関連付けられたネットワーク１１０の加入者の許可をチェックする。ＡＡＡ１２２は、ＳＴａプロトコルに従って動作する基準点を介してＡＰ１４１と接続される。
【００４０】
ネットワーク１１０にアクセスするための、ネットワーク１１０の加入者の許可をチェックするために、ＭＭＥ１１６は、Ｓ６ａ基準点を介してホーム加入者サーバ（ＨＳＳ）１１５と接続され、ＡＡＡ１１２は、ＳＷｘ基準点を介してＨＳＳ１１５と接続される。加入プランなど加入者固有のデータは、ＨＳＳ１１５のリポジトリに記憶され得る。
【００４１】
ポリシー及び課金機能は、例えば、ポリシー及び課金ルール機能（ＰＣＲＦ）１１９によって実装される制御ノード１１９によって制御される。ＰＣＲＦ１１９は、Ｇｘプロトコルに従って動作する基準点を介してＰＧＷ１１８と接続されている。ポリシーは、ＰＧＷ１１８によって実施することができる。ＰＧＷ１１８は、課金関連情報をＰＣＲＦ１１９に報告することができる。
【００４２】
図１のアーキテクチャは、いわゆるＷＬＡＮオフローディングのために使用され得る。ＷＬＡＮオフローディングによれば、Ｓ２ａエンドツーエンド接続が、ＡＰ１４１とＰＧＷ１１８との間に確立される。図１のシナリオでは、ＡＰ１４１を介したいわゆるトラステッドＷＬＡＮアクセスのアーキテクチャ、すなわちトラステッドＷＬＡＮオフロードのシナリオが示されている。ここで、ＡＰ１４１は、ＡＰ１４１とＰＧＷ１１８との間のＳ２ａ基準点を介して、ＡＰ１４１とＰＧＷ１１８で終端するエンドツーエンドセキュアトンネルを確立する。３ＧＰＰ技術仕様書（ＴＳ）２３．４０２  Ｖ１３  ．２．０（２０１５）、図４．２．２−１を参照されたい。
【００４３】
更なるシナリオは、ＡＰ１４１を介した、いわゆるアントラステッドＷＬＡＮアクセスを含む。ここで、発展型パケットデータゲートウェイ（ｅＰＤＧ；図１には図示せず）によって実装された更なるユーザプレーンノードは、アントラステッドＡＰ１４１とＰＧＷ１１８との間の通信を仲介する。３ＧＰＰ  ＴＳ  ２３．４０２，Ｖ１３．２．０（２０１５）ｓｅｃｔｉｏｎ  ７を参照されたい。
【００４４】
図２には、様々な実施形態に係る、ＡＰ２４０との組合せでセルラーネットワーク１１０のネットワークアーキテクチャの態様が示されている。図２のシナリオでは、ＡＰ２４０は、３ＧＰＰ  ＬＴＥ  ＲＡＴに従って動作する無線リンク２１１を介してｅＮＢ１１２と接続され、すなわち、ＬＴｅ−Ｕｕ基準点を実装する。一般的に、無線リンク２１１は、３ＧＰＰ  ＲＡＴに従って動作し得る。ＡＰはモバイルホットスポットであり、それ自体、セルラーネットワーク１１０の加入者に関連付けられている。ＡＰ２４０の加入者は、ＵＥ１３０の加入者と異なっていても異なっていなくてもよい。ＵＥ１３０とＡＰ２４０との間の更なる無線リンク２１２は、ＩＥＥＥ８０２．１１  ＷＬＡＮ  ＲＡＴに従って動作する。
【００４５】
図２のシナリオでは、ＵＥ１３０とＡＰ２４０との間の更なる無線リンク２１２は、ＩＥＥＥ８０２．１１  ＷＬＡＮ  ＲＡＴに従って動作し、他のシナリオでは、Ｂｌｕｅｔｏｏｔｈ、ＮＦＣ（Near  Field  Communication）などの異なるＲＡＴに依拠することが可能である。特に、ＵＥ１３０とＡＰ２４０との間の更なる無線リンク２１２は、非３ＧＰＰ  ＲＡＴに従って動作し得る。
【００４６】
ＵＥ１３０は、ＡＰ２４０を介してセルラーネットワーク１１０に接続することができる。この接続は、単なるブロードバンド機能以上の高度な機能をＵＥ１３０に提供し得る。例えば、ポリシー及び課金機能がＵＥ１３０に提供され得る。更に、インターネット以外の他のＰＮへのアクセスは、アクセスポイントノード１２１を介して提供され得る。例えば、ＩＰマルチメディアサブシステム（ＩＭＳ；３ＧＰＰ  ＴＳ２３．２２８及び３ＧＰＰ  ＴＳ２３．００２参照）へのアクセスは、ＡＰ１４０を介してセルラーネットワーク１１０との接続を確立するＵＥ１３０に提供され得る。
【００４７】
このような高度な機能を提供するために、ＵＥ１３０に関連付けられたパケット化されたユーザプレーントラフィック２５１は、エンドツーエンド接続２５０を介してルーティングされる。ダイレクトＥ−ＵＴＲＡＮ無線リンク２１３上のｅＮＢ１１２を介したＵＥ１３０の更なるアクティブＰＤＮ接続の代わりに、又はそれに加えて、エンドツーエンド接続２５０が可能である。エンドツーエンド接続２５０は、ＵＥ１３０がＡＰ２４０へアタッチメッセージを送信したことに応答して確立される。アタッチメッセージは、３ＧＰＰ  ＬＴＥ  ＥＰＳフレームワークでは拡張認証プロトコル（ＥＡＰ）の一部であり得る。アタッチメッセージは、ＵＥ１３０がＡＰ２４０を発見したことに応答して送信され得る。アタッチメッセージは、ＡＰ２４０を介してセルラーネットワーク１１０との接続を確立する旨のＵＥ１３０の要求を示し得る。
【００４８】
次いで、ＡＰ２４０は、エンドツーエンド接続２５０を介してパケット化されたユーザプレーントラフィック２５１をルーティングするように構成されている可能性がある。パケット化されたユーザプレーントラフィック２５１は、例えばＩＭＳ又はインターネットのアクセスポイントノード１２１とＵＥ１３０との間にある可能性がある。
【００４９】
エンドツーエンド接続２５０は、ＵＥ固有であり得る。これによって、ポリシー及び課金機能の実装が可能になる。エンドツーエンド接続２５０のＱＣＩなどのサービス品質識別子を適切に設定することができる。例えば、サービス品質識別子の設定は、例えば、エンドツーエンド接続２５０の確立の一部として、ＡＰ２４０とＥＰＣ１１１との間でネゴシエートすることができる。例えば、サービス品質識別子は、エンドツーエンド接続２５０上のパケット化されたユーザプレーントラフィック２５１のタイプに応じて設定され得る。例えば、ＵＥ１３０は、送信及び／又は受信する予定のパケット化されたユーザプレーントラフィック２５１のタイプを報告し得る。
【００５０】
一般的には、エンドツーエンド接続を確立するために、様々な概念及びシナリオが考えられる。エンドツーエンド接続２５０は、一端で終端し、図２のシナリオでは、ＰＧＷ１１８で終端する。更なるシナリオでは、エンドツーエンド接続２５０はセルラーネットワーク１１０のＥＰＣ１１１の異なるゲートウェイノード、例えばＳＧＷ１１７で終端するする可能性もある。図２のシナリオでは、エンドツーエンド接続２５０は、他端では、ＡＰ２４０で終端し、他のシナリオでは、他端において、エンドツーエンド接続２５０がＵＥ１３０で終端する可能性もある。エンドツーエンド接続２５０は、ベアラ又はセキュアトンネルとして実装され得る。エンドツーエンド接続２５０がセキュアトンネルとして実装される場合、トラステッドＷＬＡＮオフローディングシナリオ（図１参照）に従ってＳ２ａ基準点を模倣することが可能である。例えば、規格間の互換性を確実にするように、このようなシナリオでエンドツーエンド接続２５０としてセキュアトンネルを確立するために、対応する制御シグナリングが使用され得る。
【００５１】
エンドツーエンド接続２５０は、例えば３ＧＰＰ  ＬＴＥ  ＥＰＳの場合にはＬＢＩを介して、ＡＰ２４０のデフォルトのＥＰＳベアラに関連付けられた、又はそれにリンクされた専用ＥＰＳベアラとして実装される可能性があり、そのようなシナリオでは、エンドツーエンド接続２５０は、ＡＰ２４０のＩＰアドレスによって識別され、ネットワーク１１０においてＡＰ２４０の加入を使用し得る。次いで、ＡＰ２４０は、更なる無線リンク２１２を介してエンドツーエンド接続２５０とＵＥ１３０との間でデータを転送し得る。次いで、ＵＥ１３０に加えて、１つ以上の更なるＵＳがＡＰ２４０に接続されている場合、ＵＥ固有のエンドツーエンド接続２５０を実装するために、それぞれの追加の専用ＥＰＳベアラが確立され得る。追加の専用ＥＰＳベアラの数の制限は、セルラーネットワーク１１０のＥＰＳフレームワークによってのみ課され得る。異なるＵＥは、例えば、ＱＣＩによって実装されるサービス品質識別子を示すことによって、同じ又は異なる関連するＱｏＳを有し得る異なる専用ＥＰＳベアラを有し得る。ポリシー制御及び課金については、ＡＰ２４０は、エンドツーエンド接続２５０の識別子を含み、更に加入者識別子を含む、ポリシー及び課金制御メッセージをセルラーネットワーク１１０へ送信する可能性がある。例えば、ポリシー及び課金制御メッセージが、加入者識別子を更に含む、３ＧＰＰ  ＴＳ  ２３．４０１  Ｖ．１３．３．０（２０１５），ｓｅｃｔｉｏｎ  ５．４．５に係る要求ベアラリソース変更メッセージによって実装される可能性があり得る。次いで、ＰＣＲＦ１９０などの制御ノードは、エンドツーエンド接続２５０がＡＰ２４０のＩＰアドレスによって識別されるとしても、ポリシー及び課金機能を使用するために、エンドツーエンド接続２５０をＵＥ１３０の加入者と関連付けることができる。
【００５２】
一般的に、加入者識別子は、ネットワーク１１０の加入者を一意に識別し得る。例えば、加入者識別子は、ＩＭＳＩ（International  Mobile  Subscriber  Identity）及びＩＭＥＩ（International  Mobile  Equipment  Identity）のうちの１つであり得る。
【００５３】
エンドツーエンド接続２５０は、ＵＥ１３０のデフォルトのＥＰＳベアラとして実装される可能性もある。したがって、エンドツーエンド接続２５０は、ＵＥ１３０のＩＰアドレスによって識別され得る。このようなシナリオは、トラステッドＷＬＡＮオフロードシナリオ（図１参照）及び／又はアントラステッドＷＬＡＮオフロードシナリオに従ってＳ２ａ基準点を模倣し得る。ポリシー及び課金については、ＵＥ１３０のＩＰアドレスによるエンドツーエンド接続の識別に起因して、ＥＰＣ１１１にそれぞれの加入者が通知される可能性がある。専用のポリシー及び課金制御メッセージは必要とされない場合がある。
【００５４】
図３には、エンドツーエンド接続２５０がＵＥ１３０のＩＰアドレスによって識別される、ＵＥ１３０とＰＧＷ１１８との間のデフォルトのエンドツーエンド接続２５０を確立する態様が示されている。図３は、最初にＵＥ１３０とＡＰ２４０の両方がセルラーネットワーク１１０に接続されているシナリオを示し、特に、ＵＥ１３０は、無線リンク２１３を介してセルラーネットワーク１１０と接続され、ＡＰ２４０は、無線リンク２１１を介してセルラーネットワーク１１０と接続されている。ＡＰ２４０及びＵＥ１３０は、同じ又は異なるｅＮＢ１１２に接続されていてよい。
【００５５】
したがって、ＵＥ１３０とＰＮとの間のＰＤＮ接続は、ＰＧＷ１１８及びアクセスポイントノード１２１を介して確立される。このために、ＵＥ１３０は、セルラーネットワーク（図３には図示せず）で認証され得る。このために、ＩＭＳＩ又はＩＭＥＩなどの加入者識別子は、例えば、３ＧＰＰ  ＴＳ  ２３．４０１  Ｖ．１３．３．０（２０１５），ｓｅｃｔｉｏｎ  ５．３．２に記載されているように、無線リンク２１３を介してＭＭＥ１１６に提供され得る。トラフィックは、ＵＥ１３０とアクセスポイントノード１２１との間でＵＬ及び／又はＤＬで送信及び／又は受信され得る。ＰＤＮ接続は、ＵＥ１３０のＩＰアドレス（図３にはＩＰアドレスＡとラベル付けされている）によって識別されるデフォルトのＥＰＳベアラ３０１を含む。デフォルトのＥＰＳベアラ３０１は、ｅＮＢ１１２とＵＥ１３０との間の無線リンク２１３上の無線ベアラと、ｅＮＢ１１２とＳＧＷ１１７との間のＳ１−Ｕベアラとを含み、ＳＧＷ１１７とＰＧＷ１１８との間のＳ５ベアラ（図３には図示せず）をさらに含む。ＰＤＮ接続は、ＰＧＷ１１８とＡＰＮ１２１との間に外部ベアラ３０２を更に含む。例えば、ＵＥ１３０のデフォルトのＥＰＳベアラ３０１は、ＵＥ１３０がセルラーネットワーク１１０に接続するときに確立され得る。ＵＥ１３０は、デフォルトのＥＰＳベアラ３０１の確立の一部として、そのＩＰアドレスを受信し得る。
【００５６】
更に、ＡＰ２４０とＰＧＷ１１８との間のＰＤＮ接続が確立される。トラフィックは、ＡＰ２４０とＰＧＷ１１８との間でＵＬ及び／又はＤＬで送信され得る。このＰＤＮ接続は、ＡＰ２４０のＩＰアドレスによって識別されるデフォルトのＥＰＳベアラ３０３を含む。デフォルトのＥＰＳベアラ３０３は、ｅＮＢ１１２とＡＰ２４０との間の無線リンク２１１上の無線ベアラを含み、ＳＧＷ１１７とＰＧＷ１１８との間のＳ５ベアラ（図３には図示せず）を更に含む。例えば、ＡＰ２４０のデフォルトのＥＰＳベアラ３０３は、ＡＰ２４０がセルラーネットワーク１１０に接続するときに確立され得る。ＡＰ２４０は、デフォルトのＥＰＳベアラ３０３の確立の一部として、そのＩＰアドレス（図３ではＩＰアドレスＢとラベル付けされている）を受信し得る。
【００５７】
例えば、ＵＥ１３０のデフォルトのＥＰＳベアラ３０１及び／又はＡＰ２４０のデフォルトのＥＰＳベアラ３０３は、３ＧＰＰ  ＴＳ  ２３．４０１  Ｖ１３．３．０（２０１５）ｓｅｃｔｉｏｎ  ５．３．２に示される技法に基づいて確立される可能性がある。
【００５８】
次に、ＵＥ１３０は、ＡＰ２４０を発見する。例えば、これは、ＵＥ１３０がＡＰ２４０の送信範囲に入ったことに応答し得る。いくつかのシナリオでは、ＵＥ１３０は、ＡＰ２４０に接続するようにＥＰＣ１１１によって指示され得る。次いで、ＵＥ１３０は、無線リンク２１２を介してＡＰ２４０へアタッチメッセージ３０４を送信する。ＵＥ１３０がＡＰ２４０へアタッチメッセージ３０４を送信することができるようにするために、ＩＥＥＥ  ８０２．１１  ＲＡＴに係る第１の接続手順が実行される（図３には図示せず）可能性があり、次いで、アタッチメッセージ３０４は、ＩＥＥＥ  ＷＬＡＮ  ＲＡＴを使用して送信され得る。アタッチメッセージ３０４は、ＵＥ１３０に関連付けられたネットワーク１１０の加入者を一意に識別する加入者識別子を含み、更なる実施形態では、加入者識別子を含み、専用制御メッセージが、無線リンク２１２を介してＵＥ１３０からＡＰ２４０へ送信される可能性がある。例えば、３ＧＰＰプロトコルに従って動作するセルラーネットワーク１１０の場合、加入者識別子は、ＩＭＳＩ又はＩＭＥＩのうちの１つであり得る。
【００５９】
次に、ＡＰ２４０は、許可要求メッセージ３０５をＭＭＥ１１６又はＡＡＡ１２２へ送信する。許可要求メッセージ３０５は、ＵＥ１３０に関連付けられたネットワーク１１０の加入者の加入者識別子を含み、更に、ＡＰ２４０に関連付けられたネットワーク１１０の加入者の加入者識別子をも含み得る。
【００６０】
次いで、許可要求メッセージ３０５に基づいて、ＭＭＥ１１６又はＡＡＡ１２２は、セルラーネットワーク１１０において無線リンク２１１を介してＨＳＳ１１５と通信するための、ＵＥ１３０に関連付けられた加入者の許可をチェックする可能性がある。
【００６１】
許可のチェックの結果に応じて、ＭＭＥ１１６又はＡＡＡ１２２は、許可応答メッセージ３０６を送信してもしなくてもよい。許可応答メッセージ３０６は、許可のチェックの結果を示す可能性がある。例えば、許可応答メッセージ３０６は、加入者が、無線リンク２１１及びＡＰ２４０を介してセルラーネットワーク１１０と通信することが許可されている、又は許可されていないことを明示的又は暗示的に示し得る。ＡＰ２４０は、許可応答メッセージ３０６を受信する。つまり、エンドツーエンド接続２５０の確立は、許可応答メッセージ３０６に応じて選択的に実行することができる。
【００６２】
許可応答メッセージ３０６は、ＡＰ１４０を介してセルラーネットワーク１１０と通信するためにＵＥ１３０に関連付けられた加入者の与えられた許可を示すので、アタッチ応答メッセージ３０７がＡＰ２４０によって送信され、ＵＥ１３０によって受信される。アタッチ応答メッセージ３０７は、ＵＥ１３０に関連付けられた加入者が、無線リンク２１１及びＡＰ２４０を介して通信することが許可されることを示し得る。
【００６３】
いくつかのシナリオでは、許可要求メッセージ３０５は、アクセスポイントノード１２１のインジケータ、それぞれＵＥ１３０が接続を求めるＰＮをも含む可能性があり、したがって、許可要求メッセージ３０５は、対応するＡＰＮを含み得る。あるいは、デフォルトのＡＰＮが使用されてもよい。いくつかのシナリオでは、許可要求メッセージ３０５は、ＵＥ１３０がトラフィックを送信及び／又は受信しようとするサービスのインジケータをも含む可能性がある。また、所望のサービス及び／又は所望のＡＰＮは、例えばＭＭＥ１１６及び／又はＡＡＡ１２２によって別のステップで許可され、チェックされてもよい。
【００６４】
図３のシナリオでは、ＵＥ１３０に関連付けられた加入者は、エンドツーエンド接続２５０を確立することが許可され、加入者識別子を含むバインディング要求メッセージ３０８が、ＡＰ２４０によって送信され、ＰＧＷ１１８によって受信される。モビリティアンカーとして機能するＰＧＷ１１８が最終要求メッセージを受信したことに応答して、ＰＧＷ１１８は、ＵＥ１３０にＩＰアドレスを割り当て、その後ＡＰ２４０によって受信されるバインディング応答メッセージ３０９に、割り当てられたＩＰアドレス（図３ではＩＰアドレスＣとラベル付けされている）を含む。バインディングメッセージ３０８、３０９は、作成ベアラメッセージと呼ばれることもある。ここで、ＥＰＣ１１１によってベアラコンテキストアクティブ化手順が実行され得る。ＡＰ２４０は、例えば、エンドツーエンド接続２５０の設定が完了したことをＵＥに通知するために、割り当てられたＩＰアドレスをＵＥ１３０に通知する（図３には図示せず）可能性がある。わかるように、図３のシナリオでは、ＵＥ１３０は、グローバルＩＰアドレスが割り当てられている。これに関連して、グローバルＩＰアドレスは、ＥＰＳ１１０に関して、すなわちＥＰＳ１１０のアドレスプールから選ぶことによって、ＵＥ１３０を一意に識別し得る。他のシナリオでは、グローバルＩＰアドレスは、ＥＰＳ１１０を超えて、及びその外側でＵＥ１３０を一意に識別し得る。
【００６５】
次いで、新たに確立されたＵＥ１３０のＩＰアドレスによって識別されるデフォルトのＥＰＳベアラによって実装されるエンドツーエンド接続２５０を確立することができ、トラフィックは、ＵＥ１３０及びアクセスポイントノード１２１から、及び／又はそこへ送信され得る。いくつかのシナリオでは、エンドツーエンド接続２５０がエンドツーエンド暗号化を使用する可能性があり、したがって、トンネル、例えば、プロキシモバイルＩＰｖ６（ＰＭＩＰｖ６）トンネルと呼ばれることがある。図３からわかるように、ＡＰ２４０のデフォルトのＥＰＳベアラ３０３とＵＥ１３０のデフォルトのＥＰＳベアラ２５０は共存することができ、互いにリンクされない。例えば、異なるＬＢＩが使用されてもよく、及び／又は異なるＩＰアドレスをデフォルトのＥｐｓベアラ３０３、２５０に関連付けることができる。これによって、数ある効果の中でも、デフォルトのＥＰＳベアラ２５０上のトラフィックをＵＥ１３０に関連付けられた加入者に明白に帰属させることができる。トラフィックは、ＡＰ２４０に関連付けられた加入者とＵＥ１３０に関連付けられた加入者との間で分離することができる。これは、ＵＥ１３０の加入者の加入者固有のポリシー及び課金機能を実装することを可能にする。例えば、課金機能は、ＰＮ固有の課金を実装できるように、デフォルトのＥＰＳベアラ２５０に関連付けられた特定のアクセスポイントノード１２１を考慮し得る。例えば、ＡＰ２４０にオフロードされた個々のＵＥ１３０ごとにＩＭＳ関連トラフィックとインターネットトラフィックとを区別することが可能である。
【００６６】
１つ以上の他のＵＥ（図３には図示せず）がＡＰ２４０へアタッチメッセージを送信する場合、ＡＰ２４０は、１つ以上の他のＵＥのＩＰアドレスによって識別される対応するデフォルトのＥＰＳベアラによって１つ以上の他のエンドツーエンド接続を確立するように構成することができる。したがって、デフォルトのＥＰＳベアラ２５０は、ＵＥ固有とすることができる。ここで、１つ以上の他のＵＥは、ＰＧＷ１１８によって一意のＩＰアドレスが割り当てられている可能性がある。これによって、一方ではＵＥ１３０に関連付けられたトラフィックと、他方では１つ以上の他のＵＥに関連付けられたトラフィックとを区別することが可能になる。
【００６７】
随意に、ＵＥ１３０は、次いで、元のデフォルトのＥＰＳベアラ３０１を解放できるように、無線リンク２１３を介してｅＮＢ１２２へデタッチメッセージ３１０を送信し得る。デフォルトのＥＰＳベアラ３０１によって以前に処理されたトラフィックは、次いで、デフォルトのＥＰＳベアラ２５０に移行又はオフロードすることができる。このため、図３に示されるシナリオは、ＷＬＡＮオフローディングとも呼ばれる。他のシナリオでは、デフォルトのＥＰＳベアラ３０１と２５０が共存する可能性がある。
【００６８】
図３に関して、エンドツーエンド接続２５０がそれぞれＵＥ１３０及びＰＧＷ１１８で終端するシナリオについて説明したが、他のシナリオでは、エンドツーエンド接続２５０は、それぞれＡＰ２４０及びＰＧＷ１１８で終端する可能性もあることを理解されたい。これは、エンドツーエンド接続２５０上のトラフィックがＳ２ａ基準点を模倣して送信される場合に特に重要であり得る。
【００６９】
図４では、ＵＥ１３０に関連付けられたサービス固有の更なるエンドツーエンド接続２５１を確立する態様が示されている。図４は、ＡＰ２４０を介してＵＥ１３０のＩＰアドレスによって識別されるデフォルトのＥＰＳベアラ２５０がすでに確立されている（図３参照）状況を示す。そのような状況では、ＵＥ１３０は、所与のサービス４５０に関連付けられたユーザプレーントラフィックを送信及び／又は受信しようとする。例えば、所与のサービスは、特定の上位層アプリケーションに関連し得る。所与のサービスが特定のアクセスポイントノード１２１／ＰＮに関連する可能性もある。何らかの理由で、例えば、特定のＱｏＳ制約又は特定の課金ルール又はそのトラフィックの特定のＰＮに起因して、所与のサービスについての専用ＥＰＳベアラが望ましい。
【００７０】
ＵＥ１３０は、特定のサービス４５０のトラフィックを送信する必要性に応じて、所与のサービス２５１のユーザプレーントラフィックの送信の必要性を示す制御メッセージ４０１を送信する。代替又は追加として、ＵＥ１３０は、所与のサービス２５１のユーザプレーントラフィックの送信の必要性を示す対応する制御メッセージを受信する可能性もある。
【００７１】
次に、ＡＰ２４０は、ベアラ変更要求メッセージ４０２をＰＧＷ１１８へ送信し、ベアラ変更応答メッセージ４０３をＰＧＷ１１８から受信することによって、更なるエンドツーエンド接続を確立する。例えば、ベアラ変更要求メッセージ４０２は、３ＧＰＰ  ＴＳ  ２３．４０１  ＴＳ  ２３．４０１，Ｖ１３．３．０（２０１５）に係る要求ベアラリソース変更メッセージによって実装され得る。例えば、ベアラ変更要求メッセージ４０２は、ＵＥ１３０のユーザ及び／又はＵＥ１３０のＩＰアドレス及び／又はデフォルトのＥＰＳベアラ２５０のＬＢＩに関連付けられた加入者識別子を含み得る。次いで、デフォルトのＥＰＳベアラ２５０に加えて、サービス固有である専用ＥＰＳベアラ２５１を確立することが可能である。専用ＥＰＳベアラ２５１は、ＵＥ１３０のＩＰアドレスによって識別され、例えばＬＢＩによってデフォルトのＥＰＳベアラ２５０にリンクされる。しかし、他のシナリオでは、例えば、異なるＬＢＩ及び／又は異なるＩＰアドレスを使用することによって、サービス固有のエンドツーエンド接続２５１がデフォルトのＥＰＳベアラ２５０にリンクされていない可能性もある。
【００７２】
図４のシナリオでは、専用ＥＰＳベアラ２５１は、ＵＥ１３０及びＰＧＷ１１８で終端する。他のシナリオでは、専用ＥＰＳベアラ２５１がＡＰ２４０で終端し、他端ではＰＧＷ１１８及び／又はＳＧＷ１１７で終端する可能性がある。
【００７３】
上記では、図３及び図４に関して、ＰＧＷ１１８へのエンドツーエンド接続が、ＵＥ１３０のＩＰアドレスによって識別されるデフォルトのＥＰＳベアラ２５０によって実装されるシナリオが示されている。
【００７４】
図５及び図６に関して、ＰＧＷ１１８へのエンドツーエンド接続が、ＡＰ２５０のＩＰアドレスによって識別され、ＡＰ２４０のデフォルトのＥＰＳベアラ３０３にリンクされている専用ＥＰＳベアラ２５０によって実装されている態様が示されている。図５は、一般的には、図３のシナリオに対応するが、エンドツーエンド接続２５０は、ＵＥ１３０のＩＰアドレスではなく、ＡＰ２５０のＩＰアドレスによって識別される。
【００７５】
メッセージ５０４〜５０９はメッセージ３０４〜３０９に対応し、バインディングメッセージ３０８、３０９によって新しいデフォルトのＥＰＳを作成する代わりに、デフォルトのＥＰＳベアラ３０３を変更するために、ベアラ変更メッセージ５０８、５０９が使用される。
【００７６】
次に、ＡＰ２４０及びＰＧＷ１１８で終端する専用ＥＰＳベアラ２５０が設定され、ＵＥ１３０とアクセスポイントノード１２１との間のトラフィックは、ＡＰ２４０及び無線リンク２１１を介してルーティングすることができる。専用ＥＰＳベアラ２５０は、ＡＰ２４０のＩＰアドレスによって識別され、例えばＬＢＩによってＡＰ２４０のデフォルトのＥＰＳベアラ３０３にリンクされる。
【００７７】
図５のシナリオでは、ＡＰ２４０は、例えば、アタッチ応答メッセージ５０７の一部として、又は別個のメッセージにおいて、ローカルＩＰアドレスをＵＥ１３０に割り当てることができる。次いで、ＡＰ２４０は、ＵＥ１３０のローカルＩＰアドレスに基づいて専用ＥＰＳベアラ２５０上のユーザプレーントラフィック２５１をルーティングし得る。
【００７８】
１つ以上の他のＵＥ（図５には図示せず）がＡＰ２４０へアタッチメッセージを送信する場合、ＡＰ２４０は、ＡＰ２４０のＩＰアドレスによって識別される更なる専用ＥＰＳベアラをデフォルトのＥＰＳベアラ３０３にリンクすることによって１つ以上の他のエンドツーエンド接続を確立するように構成することができる。したがって、専用ＥＰＳベアラ２５０は、ＵＥ固有とすることができる。ここで、１つ以上の他のＵＥは、ＡＰ２４０によって一意のローカルＩＰアドレスが割り当てられている可能性がある。
【００７９】
ＡＰ２４０のＩＰアドレスによって識別される専用ＥＰＳベアラ２５０上のトラフィックが属するＵＥ１３０に関連付けられた特定の加入者についてセルラーネットワーク１１０に通知するために、ポリシー及び課金制御メッセージ５１０がＡＰ２４０によって送信され、ＰＧＷ１１８によって受信される。ポリシー及び課金制御メッセージ５１０は、ＵＥ１３０の加入者識別子を含み、例えばＬＢＩを用いて暗黙的又は明示的に専用ＥＰＳベアラ２５０を示す。そのような情報に基づいて、ネットワーク１１０は、専用ＥＰＳベアラ２５０上のトラフィックに関連付けられた加入者に関する知識を達成し、これによって、加入者固有の方法でポリシー及び課金制御機能を実装することができる。
【００８０】
デタッチメッセージ５１１は、デタッチメッセージ３１０に対応する。
【００８１】
図６では、サービス固有の更なるエンドツーエンド接続２５１を確立する態様が示されている。図６は、一般的には、図４のシナリオに対応するが、エンドツーエンド接続２５０は、ＵＥ１３０のＩＰアドレスではなく、ＡＰ２５０のＩＰアドレスによって識別される。図６は、ＡＰ２４０のＩＰアドレスによって識別されるデフォルトのＥＰＳベアラ２５０がすでに確立されている（図５参照）状況を示す。
【００８２】
６０１〜６０３は、一般的には、４０１〜４０３に対応する。
【００８３】
したがって、ＵＥ１３０は、特定のサービス４５０のトラフィックを送信する必要性に応じて、所与のサービス２５１のユーザプレーントラフィックの送信の必要性を示す制御メッセージ６０１を送信する。代替又は追加として、ＵＥ１３０は、所与のサービス２５１のユーザプレーントラフィックの送信の必要性を示す対応する制御メッセージを受信する可能性もある。
【００８４】
更に、ＡＰ２４０は、ベアラ変更要求メッセージ６０２をＰＧＷ１１８へ送信し、ベアラ変更応答メッセージ６０３をＰＧＷ１１８から受信することによって、更なるエンドツーエンド接続２５１を確立する。例えば、ベアラ変更要求メッセージ６０２は、加入者識別子及び／又はＡＰ２４０のＩＰアドレス、並びに／或いは専用ＥＰＳベアラ２５０のＬＢＩ及び／又はデフォルトのＥＰＳベアラ３０３のＬＢＩを含み得る。次いで、専用ＥＰＳベアラ２５０に加えて、サービス固有である更なる専用ＥＰＳベアラ２５１を確立することが可能である。専用ＥＰＳベアラ２５１は、ＡＰ２４０のＩＰアドレスによって識別され、例えばＬＢＩによってデフォルトのＥＰＳベアラ３０３にリンクされる。しかし、他のシナリオでは、例えば、異なるＬＢＩ及び／又は異なるＩＰアドレスを使用することによって、サービス固有のエンドツーエンド接続２５１が専用ＥＰＳベアラ２５０にリンクされていない可能性もある。
【００８５】
図４及び図６のシナリオでは、専用ＥＰＳベアラ２５１は、エンドツーエンド暗号化を提供し、したがって、セキュアトンネルによって実装され、他のシナリオでは、専用ＥＰＳベアラ２５１上で暗号化された送信が可能である。
【００８６】
図４及び図６のシナリオでは、デフォルトのＥＰＳベアラ２５０と専用ＥＰＳベアラ２５１の両方は、パケット化されたユーザプレーントラフィック２５１を１つの同じアクセスポイントノード１２１に向けてルーティングするが、様々なシナリオにおいて、デフォルトのＥＰＳベアラ２５０及び専用ＥＰＳベアラ２５１がユーザプレーントラフィックを異なるアクセスポイントノードにルーティングする可能性がある。
【００８７】
図１のトラステッドＡＰ１４１は、ネットワークオペレータによって操作される明確に定義されたノードである。そのようなトラステッドノードとして、トラステッドＡＰは、例えば、端末１３０の加入情報の処理を含み得る、特別なトラステッドタスクを実行し、端末１３０認証タスクを実行し、対応するポリシーおよび課金ポリシーでＰＧＷ１１８へのベアラをセットアップし、端末１３０との間でトラフィックを転送するように構成されている。図２のＡＰ２４０は、同様のセキュリティセンシティブタスクを実行する必要がある。ＡＰ２４０がこれらのセキュリティ証明で事前構成されていない場合、対応する制御パラメータをＥＰＣ１１１  ＯＴＡ（over-the-air）によって構成し、プロビジョニングすることができる。図７を参照すると、ＡＰ２４０のそのような構成の態様、及びエンドツーエンド接続２５０を確立するためのＡＰ２４０の許可を交渉する態様が示されている。本明細書に示すモバイルホットスポット機能を提供する旨のＡＰ２４０の要求を示す要求メッセージ７０１が送信される。例えば、要求メッセージ７０１は、ＡＰ２４０のセキュリティレベルを示す能力制御情報要素を実装することができる。例えば、セキュリティレベルは、エンドツーエンド暗号化のサポートなど、ＡＰ２４０の１つ以上のセキュリティク証明を示し得る。例えば、要求メッセージ７０１は、ＡＰ２４０がセルラーネットワーク１１０に接続したことに応答して、及び／又は端末１３０がＡＰ２４０に接続したことに応答して送信することができる。例えば、モバイルホットスポット機能を提供するためのＡＰ２４０の許可は、７０２において、例えばＭＭＥ１１６、ＨＳＳ１１５、及び／又はＡＡＡ１２２によって、ＥＰＣ１１１の制御ノードによってチェックすることができる。許可のチェックは、例えば、メッセージ７０１の能力制御情報要素によって示されるセキュリティレベルに依存し得る。モバイルホットスポット機能を提供するためのＡＰ２４０の許可が与えられた場合、ＥＰＣ１１１からＡＰ２４０へ構成メッセージ７０３が送信され、例えば、構成メッセージ７０３は、エンドツーエンド接続２５０の確立などに必要なセキュリティ証明などの制御パラメータを含むことができる。制御パラメータは、他の設定、例えば、好ましいサービス品質（ＱｏＳ）要求などを含むことができる。例えば、構成メッセージ７０３は、ＯＴＡ構成手順に依拠することができる。要求メッセージ７０１は、更に、ＡＰ２４０が、トラステッドアクセスポイントのタスクを実行するために必要なタスクを実行するためのソフトウェアで事前構成されていないことを示すことができる。この場合、構成メッセージ７０３は、ＡＰ２４０のためにコンパイルされたランタイムコードを含むことができる。
【００８８】
図７に関して上に例示したようなＯＴＡ構成手順の代わりに、ＡＰ２４０は、本明細書に示す技法に従ってモバイルホットスポットとして動作する可能性を常に有するように事前構成されている可能性もある。例えば、そのような事前構成は、ＡＰ２４０が割り当てられる特定のＵＥクラスに関連付けることができる。
【００８９】
図８には、ＰＣＲＦ１１９、及びＰＧＷ１１８によって実装されるポリシー及び課金施行機能（ＰＣＥＦ）１１８−１によるポリシー実施及び課金機能８００の態様が示されている。図８からわかるように、エンドツーエンド接続２５０は、ＵＥ１３０のＩＰアドレスによって識別されるエンドツーエンド接続の形態、又はＡＰ２４０のＩＰアドレスによって識別されるエンドツーエンド接続の形態であり、ＰＧＷ１１８で終端する。ＰＧＷ１１８は、パケット化されたユーザプレーントラフィック２５１を、エンドツーエンド接続２５０を介して端末１３０との間でルーティングするように構成される。トラフィック２５１について、ＰＣＲＦ１１９で提供されるポリシー及び課金ルールに応じて、トラフィックシェーピング及び／又は課金が実行され得る。例えば、ＰＣＥＦ１１８−１は、エンドツーエンド接続２５０上のトラフィックのデータ量をＰＣＲＦ１１９に報告し、及び／又はＰＣＲＦ１１９から受信された対応するコマンドに基づいてトラフィック制限を実装し得る。ＰＣＥＦ１１８−１は、ディープパケット検査（ＤＰＩ）などを実装し得る。
【００９０】
図９は、ＡＰ２４０の概略図である。ＡＰ２４０は、メモリ２４０−２と結合されたプロセッサ２４０−１を含む。更に、ＡＰ２４０は、無線リンク２１１を介してセルラーネットワーク１１０のｅＮＢ１１２と通信するように構成された第１のインターフェース２４０−３を含む。第１のインターフェース２４０−３は、ＵＬとＤＬの両方の送信をサポートする。また、ＡＰ２４０は、更なる無線リンク２１２を介してＵＥ１３０と通信するように構成された第２のインターフェース２４０−４をも含む。ＡＰ２４０は、ユーザから命令を受信し、ユーザに情報を出力するように構成されたヒューマンマシンインターフェース（ＨＭＩ）２４０−５を更に含む。メモリ２４０−２は、プロセッサ２４０−１によって実行できる制御命令を記憶し得る。例えば、プロセッサ２４０−１が制御命令を実行するとき、図１２のフローチャートに従う方法が実行され得る。
【００９１】
図１２を参照すると、Ａ１において、アタッチメッセージ３０４、５０４が、第２のインターフェース２４０−４を介してＵＥ１３０から受信される。次いで、Ａ２において、ＰＧＷ１１８とのエンドツーエンド接続２５０が確立される。Ａ２は、許可要求メッセージ３０５、５０５の送信、許可応答メッセージ３０６、５０６の受信、要求メッセージ３０８、５０８の送信、応答メッセージ３０９、５０９の受信などを含み得る。
【００９２】
図１０は、ＭＭＥ１１６の概略図である。ＭＭＥ１１６は、メモリ１１６−２に結合されたプロセッサ１１６−１を含む。更に、ＭＭＥ１１６は、Ｓ６ａ基準ノードを介してＨＳＳ１１５と、Ｓ１基準ノードを介してｅＮＢ１１２と、及びＳ１１基準ノードを介してＳＧＷ１１７と通信するように構成されたインターフェース１１６−３を含む。ＭＭＥ１１６は、ユーザから命令を受信し、ユーザに情報を出力するように構成されたＨＭＩ１１６−５を更に含む。メモリ１１６−２は、プロセッサ１１６−１によって実行できる制御命令を記憶し得る。例えば、プロセッサ１１６−１が制御命令を実行するとき、図１３のフローチャートに従う方法が実行され得る。
【００９３】
図１３を参照すると、まず、Ｃ１で、プロセッサ１１６−１は、インターフェース１１６−３を介して、ＡＰ１４０から、端末１３０に関連付けられた加入者を一意に識別する加入者識別情報を含む許可要求メッセージ３０５、５０５を受信する。
【００９４】
次に、Ｃ２で、プロセッサ１１６−１は、無線リンク２１１を介して通信するための、すなわちセルラーネットワーク１１０にアクセスするための、端末１３０に関連付けられた加入者の許可をチェックする。
【００９５】
Ｃ３で、加入者が無線リンク２１１を介して通信することを許可されている場合、プロセッサ１１６−１は、インターフェース１１６−３を介して、ＡＰ２４０へ許可応答メッセージ３０６、５０６を送信する。
【００９６】
したがって、Ｃ１〜Ｃ３を実行することによって、ＭＭＥ１１６は、エンドツーエンド接続の確立に寄与する。
【００９７】
上記で、図１０及び図１３に関して、ＭＭＥ１１６に関して様々な技法が示されているが、対応する技法をＡＡＡ１２２に容易に適用できることを理解されたい。
【００９８】
図１１は、ＰＧＷ１１８の概略図である。ＰＧＷ１１８は、メモリ１１８−２に結合されたプロセッサ１１８−１を含む。更に、ＰＧＷ１１８は、パケット化されたユーザプレーントラフィック２５１を、Ｓ５基準点を介してＳＧＷ１１７との間で、及びＳＧｉ基準点を介してアクセスポイントノード１２１との間で送受信するように構成されたインターフェース１１８−３を含む。更に、インターフェース１１８−３は、Ｇｘ基準点を介してＰＣＲＦ１１９との間で制御データを送受信するように構成されている。ＰＧＷ１１８は、ユーザから命令を受信し、ユーザに情報を出力するように構成されたＨＭＩ１１８−５を更に含む。メモリ１１８−２は、プロセッサ１１８−１によって実行できる制御命令を記憶し得る。例えば、プロセッサ１１８−１が制御命令を実行するとき、図１４のフローチャートに従う方法が実行され得る。
【００９９】
図１４を参照すると、Ｂ１において、プロセッサ１１８−１は、エンドツーエンド接続２５０を確立する。これは、制御メッセージ３０８、５０８を受信し、応答メッセージ３０９、５０９を送信することを含み得る。
【０１００】
上記で、図１１及び図１４に関して、ＰＧＷ１１８に関して様々な技法が示されているが、対応する技法をＳＧＷ１１７に容易に適用できることを理解されたい。
【０１０１】
要約すると、モバイルホットスポットを含むエンドツーエンド接続を確立する上述の技法が例示されている。いくつかのシナリオでは、エンドツーエンド接続はモバイルホットスポットの加入に関連付けられ、すなわち、モバイルホットスポットのＩＰアドレスによって識別され、モバイルホットスポットのデフォルトのＥＰＳベアラにリンクされた専用ＥＰＳベアラとして実装され得る。更なるシナリオでは、エンドツーエンド接続は、ＵＥの加入に関連付けられ、すなわち、ＵＥのＩＰアドレスによって識別され、ここで、エンドツーエンド接続は、ＵＥのデフォルトのＥＰＳベアラ及び／又はＵＥの専用ＥＰＳベアラによって実装することができる。
【０１０２】
上述したような技法により、セルラーネットワーク１１０のネットワークオペレータは、ＡＰの動作と、ＡＰに接続されたＵＥとの間のトラフィックとの制御を得ることが可能である。特に、ポリシー及び課金制御機能が確実に実装され、ユーザが経験するＱｏＳを向上させ、オペレータのビジネス面をサポートすることを確実にすることができる。特に、ポリシー及び課金制御機能は、ＵＥの加入者に関連付けられたトラフィックと、ＡＰの加入者に関連付けられたトラフィックとを区別することができ、したがって、ＵＥに関するポリシー及び課金制御機能は、ＡＰに関するポリシー及び課金制御機能に影響を与えない可能性がある。
【０１０３】
異なるＵＥは、それぞれのＵＥ固有のエンドツーエンド接続上のトラフィックについて同じＱｏＳ又は異なるＱｏＳを有し得る。異なるサービスは、それぞれのサービス固有のエンドツーエンド接続上のトラフィックについて同じＱｏＳ又は異なるＱｏＳを有し得る。
【０１０４】
上記のような技法により、オペレータは、同じネットワークバックホールを使用するセルラーネットワークのコアとＡＰに接続されたＵＥとの間のトラフィックを集約する可能性があり、これは、いくつかのＵＥが互いに近接して配置されるシナリオにおいて、セルラーネットワークの無線リンク上のリソースをより効率的に使用することを可能にする。特に、シグナリング、チャネル品質測定、及び再送をより効率的に実装することができる。
【０１０５】
本明細書に例示されるモバイルホットスポットを実装するような技法は、様々な用途を見出すことができる。例えば、乗用車、列車、飛行機、又は船舶などの車両に３ＧＰＰ無線アクセスモジュールを統合する傾向によって、車両は、乗客及び乗り物内の他の装置にブロードバンド接続を提供することが可能になる。リファレンス実装によれば、統合された３ＧＰＰ  ＲＡＴモジュールは、モバイルホットスポットとして機能し、接続されたＵＥへのブロードバンドインターネット接続を提供することに限定される。ここでは、モバイルホットスポットのＩＰアドレスに関連付けられた１つ以上のＥＰＳベアラを介して、ローカルＩＰアドレスによって識別されるＵＥに向かってトラフィックがルーティングされる。
【０１０６】
３ＧＰＰ  ＲＡＴを提供するモバイルホットスポットのインターフェースの品質と、３ＧＰＰ  ＲＡＴを提供するＵＥのインターフェースの品質との比較は、大きな違いをもたらす可能性がある。これは、特に、ＵＥが車両の内部に位置する場合に当てはまり得る。例えば、シャーシによる伝搬損失に起因して、ＵＥは、典型的には、車両の外部に配置されたアンテナへのアクセスを有し得るモバイルホットスポットと同じ送信品質を得るために、比較的高い送信電力で３ＧＰＰ無線リンク上で送信を実行しなければならない。更に、典型的には、より大きなサイズの車両は、より高い効率を有するアンテナ設計を可能にする。したがって、モバイルホットスポットの送信品質は、ＵＥの送信品質と比較すると、優れている可能性がある。更に、送信品質を更に向上させることができる高度な多入力多出力（ＭＩＭＯ）技術を車両に実装することが可能である。
【０１０７】
本明細書に示す様々な技術によれば、車両のモバイルホットスポットは、３ＧＰＰ無線リンク上の希少な無線リソースの使用を最適化できるように、機能が強化され得る。更に、ＵＥ単位でモバイルホットスポットを介して個々のトラフィックを分離することが可能である。適切なＱｏＳ及び課金は、モバイルホットスポットに接続された各ＵＥに選択的に適用することができ、これは、リファレンス実装によれば、モバイルホットスポットによって不可能又は限られている可能性がある。
【０１０８】
本発明は、いくつかの好ましい実施形態に関して図示され説明されているが、本明細書を読み、理解すると、当業者には均等物及び修正が心に浮かぶであろう。本発明は、そのような均等物及び修正のすべてを含み、添付の特許請求の範囲によってのみ限定される。
【０１０９】
例えば、上記のシナリオは、ＡＰに接続できる複数のＵＥが同じＨＰＬＭＮ（Home  Public  Land  Mobile  Network）の加入者である場合に議論されている。しかし、本明細書で説明するような様々な技法は、異なるオペレータ間のローミング契約に拡張することができる。
【図１】
0006517427.tif 000002
【図２】
0006517427.tif 000003
【図３】
0006517427.tif 000004
【図４】
0006517427.tif 000005
【図５】
0006517427.tif 000006
【図６】
0006517427.tif 000007
【図７】
0006517427.tif 000008
【図８】
0006517427.tif 000009
【図９】
0006517427.tif 000010
【図１０】
0006517427.tif 000011
【図１１】
0006517427.tif 000012
【図１２】
0006517427.tif 000013
【図１３】
0006517427.tif 000014
【図１４】
0006517427.tif 000015